【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
フレームがアップリンク送信とダウンリンク送信との間で割当てられ、分割される複数のサブフレームを含み、発展型ＵＭＴＳ陸上無線アクセスネットワーク（Ｅ−ＵＴＲＡＮ）において、時分割複信モードで動作する、無線チャネルでデータを送信する基地局（２０）における方法であって、
第１のランダムアクセスリソースを無線フレームの第１のアップリンクサブフレームにおける第１の周波数にマッピング（Ｓ２）を行って割り当てる工程と、
前記無線チャネルで少なくとも１つのアップリンクサブフレームに関連して使用する前記第１のランダムアクセスリソースの割り当てを表現する情報を含むデータを送信する（Ｓ４）工程とを有し、
前記マッピングを行なう工程は、使用される複数のランダムアクセスリソースを複数のアクセスサブフレームにマッピングすることを含み、
前記複数のランダムアクセスリソースは最初に前記複数のランダムアクセスリソースを前記複数のアップリンクサブフレームにわたって時間領域において拡散することにより割当てられ、
前記複数のランダムアクセスリソース全てを複数のアップリンクサブフレームにマッピングするには十分なアップリンクサブフレームが時間領域において利用可能ではないときに、使用される前記複数のランダムアクセスリソースの内の少なくとも１つのランダムアクセスリソースが異なる周波数の少なくとも１つのアップリンクサブフレームへと割当てられることを特徴とする方法。
【請求項２】
前記異なる周波数で用いられる前記少なくとも１つのアップリンクサブフレームは、前記第１の周波数で用いられる前記第１のランダムアクセスリソースに割当てられた前記アップリンクサブフレームに対応するアップリンクサブフレームであることを特徴とする請求項１に記載の方法。
【請求項３】
前記マッピングを行なう工程はさらに、前記第１のランダムアクセスリソースを複数のアップリンクサブフレームにマッピングすることを含むことを特徴とする請求項１又は２に記載の方法。
【請求項４】
使用されるランダムアクセスリソースの前記第１のアップリンクサブフレームは、アップリンクサブフレームの序数で表現されることを特徴とする請求項１乃至３のいずれか１項に記載の方法。
【請求項５】
使用されるランダムアクセス構成の内の少なくとも１つの付加的なアップリンクサブフレームは、アップリンクサブフレームの序数で表現されることを特徴とする請求項１乃至４のいずれか１項に記載の方法。
【請求項６】
前記無線チャネルは同報チャネルを有することを特徴とする請求項１乃至５のいずれか１項に記載の方法。
【請求項７】
発展型ＵＭＴＳ陸上無線アクセスネットワーク（Ｅ−ＵＴＲＡＮ）において、時分割複信モードで動作する基地局（２０）であって、フレームがアップリンク送信とダウンリンク送信との間で割当てられ、分割される複数のサブフレームを含み、前記基地局（２０）は、
第１のランダムアクセスリソースを無線フレームの第１のアップリンクサブフレームにおける第１の周波数にマッピングを行って割り当て、少なくとも１つのアップリンクサブフレームに関連して、前記第１のランダムアクセスリソースの割り当てを表現する情報を含むデータを生成するよう構成される制御ユニット（２０１）と、
前記無線チャネルで前記データを送信するよう適合された送信手段（２０５）とを有し、
前記制御ユニット（２０１）は、使用される複数のランダムアクセスリソースを複数のアクセスサブフレームにマッピングするよう構成され、
前記複数のランダムアクセスリソースは最初に前記複数のランダムアクセスリソースを前記複数のアップリンクサブフレームにわたって時間領域において拡散することにより割当てられ、
前記制御ユニット（２０１）は、十分なアップリンクサブフレームが時間領域において利用可能ではないときに、使用される前記複数のランダムアクセスリソースの内の少なくとも１つのランダムアクセスリソースを異なる周波数の少なくとも１つのアップリンクサブフレームへ割当てるよう構成されていることを特徴とする基地局（２０）。
【請求項８】
前記異なる周波数で用いられる前記少なくとも１つのアップリンクサブフレームは、前記第１の周波数で用いられる前記第１のランダムアクセスリソースに割当てられた前記第１のアップリンクサブフレームに対応するアップリンクサブフレームであることを特徴とする請求項７に記載の基地局（２０）。
【請求項９】
使用される前記第１のランダムアクセスリソースの前記第１のアップリンクサブフレームは、アップリンクサブフレームの序数で表現されることを特徴とする請求項７又は８に記載の基地局（２０）。
【請求項１０】
使用されるランダムアクセス構成の内の少なくとも１つの付加的なアップリンクサブフレームは、アップリンクサブフレームの序数で表現されることを特徴とする請求項７乃至９のいずれか１項に記載の基地局（２０）。
【請求項１１】
前記制御ユニット（２０１）は同報チャネルで送信を行なうように構成されることを特徴とする請求項７乃至１０のいずれか１項に記載の基地局（２０）。
【請求項１２】
前記第１のランダムアクセスリソースは複数のアップリンクサブフレームに割当てられることを特徴とする請求項７乃至１１のいずれか１項に記載の基地局（２０）。
【請求項１３】
フレームがアップリンク送信とダウンリンク送信との間で割当てられ、分割される複数のサブフレームを含むもので、発展型ＵＭＴＳ陸上無線アクセスネットワーク（Ｅ−ＵＴＲＡＮ）において、時分割複信モードで動作するユーザ機器（１０）における方法であって、
無線チャネルでデータを受信する（Ｒ２）工程と、
前記受信したデータにおいて、少なくとも１つのアップリンクサブフレームに関連して使用する第１のランダムアクセスリソースの割り当てを表現する情報を読み出すことにより、ランダムアクセス処理において使用する無線フレームにおける第１のアップリンクサブフレームを決定する（Ｒ４）工程とを有し、
前記受信したデータにおける前記情報は、複数のランダムアクセスリソースが最初に前記複数のランダムアクセスリソースを複数のアップリンクサブフレームにわたって時間領域において拡散することにより割当てられることを定義する前記複数のランダムアクセスリソースについてのランダムアクセス構成設定を含み、
前記複数のランダムアクセスリソース全てを複数のアップリンクサブフレームにマッピングするには十分なアップリンクサブフレームが時間領域において利用可能ではないときに、前記複数のランダムアクセスリソースの内の少なくとも１つのランダムアクセスリソースが異なる周波数の少なくとも１つのアップリンクサブフレームへと割当てられることを特徴とする方法。
【請求項１４】
ランダムアクセス処理の間に前記決定されたランダムアクセスリソースを使用する（Ｒ６）工程をさらに有することを特徴とする請求項１３に記載の方法。
【請求項１５】
使用されるランダムアクセスリソースの前記第１のアップリンクサブフレームは、アップリンクサブフレームの序数として表現されることを特徴とする請求項１３又は１４に記載の方法。
【請求項１６】
少なくとも１つの異なる周波数で用いられる前記少なくとも１つのアップリンクサブフレームは、前記第１のランダムアクセスリソースに割当てられた前記アップリンクサブフレームに対応するアップリンクサブフレームであることを特徴とする請求項１３乃至１５のいずれか１項に記載の方法。
【請求項１７】
前記第１のランダムアクセスリソースは複数のアップリンクサブフレームに割当てられることを特徴とする請求項１３乃至１６のいずれか１項に記載の方法。
【請求項１８】
前記無線チャネルは同報チャネルであることを特徴とする請求項１３乃至１７のいずれか１項に記載の方法。
【請求項１９】
発展型ＵＭＴＳ陸上無線アクセスネットワーク（Ｅ−ＵＴＲＡＮ）において、時分割複信モードで動作するよう構成されたユーザ機器（１０）であって、フレームがアップリンク送信とダウンリンク送信との間で割当てられ、分割される複数のサブフレームを含み、前記ユーザ機器は、
無線チャネルでデータを受信するよう適合された受信手段（１０３）と、
前記受信したデータにおいて、少なくとも１つのアップリンクサブフレームに関連して第１のランダムアクセスリソースの割り当てを表現する情報を読み出すことにより、ランダムアクセス処理で使用する無線チャネルにおける第１のアップリンクサブフレームを決定するよう構成される制御ユニット（１０１）とを有し、
前記受信したデータにおける前記情報は、複数のランダムアクセスリソースが最初に前記複数のランダムアクセスリソースを複数のアップリンクサブフレームにわたって時間領域において拡散することにより割当てられることを定義する前記複数のランダムアクセスリソースについてのランダムアクセス構成設定を含み、
前記複数のランダムアクセスリソース全てを複数のアップリンクサブフレームにマッピングするには十分なアップリンクサブフレームが時間領域において利用可能ではないときに、前記複数のランダムアクセスリソースの内の少なくとも１つのランダムアクセスリソースが異なる周波数の少なくとも１つのアップリンクサブフレームへと割当てられることを特徴するユーザ機器（１０）。
【請求項２０】
前記制御ユニット（１０１）はさらに、ランダムアクセス処理の間は、前記第１のランダムアクセスリソースを用いるように構成されていることを特徴とする請求項１９に記載のユーザ機器（１０）。
【請求項２１】
前記ランダムアクセス処理の間は、前記情報に従って前記第１のランダムアクセスリソースにおけるランダムアクセス要求を送信するように構成された送信手段（１０５）をさらに有することを特徴とする請求項２０に記載のユーザ機器（１０）。
【請求項２２】
前記受信手段（１０３）は、同報チャネルでデータを受信するよう構成されることを特徴とする請求項１９乃至２１のいずれか１項に記載のユーザ機器（１０）。
【請求項２３】
使用されるランダムアクセスリソースの前記第１のアップリンクサブフレームはアップリンクサブフレームの序数で表現されることを特徴とする請求項１９乃至２２のいずれか１項に記載のユーザ機器（１０）。